(57)【要約】      （修正有）【課題】本考案はＵ型収納用粘着袋を提供する。【解決手段】Ｕ型収納用粘着袋は薄膜１を備える。薄膜背部の３つの側辺に粘着シート２を設け、粘着シート２は薄膜背部の左辺、右辺及び底辺に設けられる。薄膜１を粘着シート２で接着して付箋紙を形成する。薄膜形状は幾何学図形、花状又は動物状を含む。薄膜１背部の３つの側辺に設けられた粘着シート２と物体表面に粘着後に形成された開口が上向き、左向き、又は右向きの臨時収納腔部により、収納腔部内に名刺、証券、付箋紙、ペン、定規、カッター、紙幣又は他の小物類を入れ、構造が単純で、外型が美しく、材料が一層節約され、実用に便利で、薄膜表面に文字が書け、伝言に便利である上に、剥がして他の位置に移動して何度も使用可能で、環境保護的である。【選択図】図１
0003190560.tif 000002
【実用新案登録請求の範囲】
【請求項１】
薄膜を備えるＵ型收納用粘着袋において、前記薄膜背部の３つの側辺に粘着シ−トを設けたことを特徴とするＵ型收納用粘着袋。
【請求項２】
前記粘着シ−トは薄膜背部の左辺、右辺、及び底辺に設けられたことを特徴とする請求項１に記載のＵ型收納用粘着袋。
【請求項３】
前記粘着シ−トは薄膜背部の頂辺、底辺、及び左辺に設けられたことを特徴とする請求項１に記載のＵ型收納用粘着袋。
【請求項４】
前記粘着シ−トは薄膜背部の頂辺、底辺、及び右辺に設けられたことを特徴とする請求項１に記載のＵ型收納用粘着袋。
【請求項５】
薄膜を粘着シ−トで接着して付箋紙を形成することを特徴とする請求項１〜４の何れか1項に記載のＵ型收納用粘着袋。
【請求項６】
前記薄膜形状は幾何学図形、花状、又は動物の形状を含むことを特徴とする請求項１に記載のＵ型收納用粘着袋。
【考案の詳細な説明】
【技術分野】
【０００１】
本考案は、構造が単純で、外型が美しく、材料がさらに節約され、実用に便利で、文字が書け、伝言に便利である上に、剥がして他の位置に移動して何度も使用可能な、環境保護としてのＵ型收納用粘着袋に関する。
【背景技術】
【０００２】
特許文献１には本体を含む収納用粘着袋と記載されている。該本体には載置部があり、本体はさらに異物を粘着するための粘着層があり、粘着層と載置部は貼り合わせて固定する。また、特許文献２にはＵ字形の収納可能な手術薄膜と記載されている。これは粘着フィルムと該粘着フィルムの両側と下端に沿って粘着フィルムと一体になった集液袋の底層が延在して形成され、該集液袋の底層の三方は集液袋上層に対応して設けられ、集液袋上層の上側端にはＵ字形のサポートシートが設けられ、下側端は集液袋の底層に連接され、集液袋の底層は集液袋上層の下端と同時に下方移動して集液袋を形成する。
【先行技術文献】
【特許文献】
【０００３】
【特許文献１】中国実用新案出願第２０１３２００３７１６３．８号公報
【特許文献２】中国実用新案出願第２０１２２０４５０８６６．９号公報
【考案の概要】
【考案が解決しようとする課題】
【０００４】
然しながら、前述した従来の技術では、粘着することで收納機能を持つが、構造が複雑で、使用される分野が単一であるという欠点があった。
【０００５】
そこで、本考案者は上記の欠点が改善可能と考え、鋭意検討を重ねた結果、合理的かつ効果的に課題を改善する本考案の提案に到った。
【０００６】
本考案は、このような従来の問題に鑑みてなされたものである。上記課題を解決のため、本考案は、既存技術の各種欠点を克服して、構造が単純で、実用に便利なＵ型収納用粘着袋を提供することを主な目的とする。
【課題を解決するための手段】
【０００７】
上述した課題を解決し、目的を達成するために、本考案に係るＵ型収納用粘着袋は、薄膜を備え、前記薄膜背部の３つの側辺に粘着シ−トを設けたことを特徴とする。
【０００８】
請求項２に記載のＵ型収納用粘着袋は請求項１において、粘着シ−トは薄膜背部の左辺、右辺、及び底辺に設けられたことを特徴とする。
【０００９】
請求項３に記載のＵ型収納用粘着袋は請求項１において、粘着シ−トは薄膜背部の頂辺、底辺、及び左辺に設けられたことを特徴とする。
【００１０】
請求項４に記載のＵ型収納用粘着袋は請求項１において、粘着シ−トは薄膜背部の頂辺、底辺、及び右辺に設けられたことを特徴とする。
【００１１】
請求項５に記載のＵ型収納用粘着袋は請求項１において、薄膜を粘着シ−トで接着して付箋紙を形成することを特徴とする。
【００１２】
請求項６に記載のＵ型収納用粘着袋は請求項１において、前記薄膜形状は幾何学図形、花状、又は動物の形状を含むことを特徴とする。
【考案の効果】
【００１３】
本考案によれば、薄膜背部の３つの側辺に設けられた粘着シ−トと物体表面に粘着後に形成された開口が上向き、左向き、又は右向きの臨時収納腔部により、収納腔部内に名刺、証券、付箋紙、ペン、定規、カッター、紙幣、又は他の小物類が入れられ、構造が単純で、外型が美しく、材料が一層節約され、実用に便利で、薄膜の表面に文字が書け、伝言に便利である上に、剥がして他の位置に移動して何度も使用可能な、環境保護的である。
【図面の簡単な説明】
【００１４】
【図１】本考案の第１実施形態によるＵ型収納用粘着袋を示す背部の概略図である。
【図２】本考案の第１実施形態によるＵ型収納用粘着袋を示す断面の概略図である。
【図３】本考案の第２実施形態によるＵ型収納用粘着袋を示す背部の概略図である。
【図４】本考案の第３実施形態によるＵ型収納用粘着袋を示す背部の概略図である。
【図５】同上、物を入れるのを示す正面の概略図である。
【考案を実施するための形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１６】
＜第１実施例＞
以下、第１実施例を図１〜２に基づいて説明する。図１、２に示すＵ型収納用粘着袋は、薄膜１を備え、薄膜１の背部の３つの側辺に粘着シ−ト２が設けられる。粘着シ−ト２は薄膜１背部の左辺、右辺及び底辺に設けられる。
【００１７】
＜第２実施例＞
図３に示すＵ型収納用粘着袋は粘着シ−ト２が薄膜１背部の左辺、頂辺及び底辺に設けられる。
【００１８】
＜第３実施例＞
図４、５に示すＵ型収納用粘着袋は粘着シ−ト２が薄膜１背部の左辺、右辺、及び底辺に設けられ、粘着シ−ト２の上部は薄膜１の頂部に達しておらず、一定の開口スペースを残しておいて、薄膜１内側の収納腔部内に更に多くの物３を入れることができる。
【００１９】
また、薄膜１背部の３つの側辺に設けられた粘着シ−ト２と物体表面に粘着後に形成された開口は上向き、左向き、又は右向きの臨時収納腔部により、収納腔部内に名刺、証券、付箋紙、ペン、定規、カッター、紙幣、又は他の小物類を入れる。
【００２０】
以上、本考案の実施形態について図面を参照して詳述したが、具体的な構成はこの実施形態に限られるものではなく、本考案の要旨を逸脱しない範囲の設計変更等も含まれる。
【符号の説明】
【００２１】
１薄膜
２粘着シ−ト
【図１】
0003190560.tif 000003
【図２】
0003190560.tif 000004
【図３】
0003190560.tif 000005
【図４】
0003190560.tif 000006
【図５】
0003190560.tif 000007